【事件の表示】
　平成　５年特許願第３４２７０５号「コンピュータシステムにおける共通資源への接続制御方法及び制御回路」拒絶査定不服審判事件〔平成　６年　８月１９日出願公開、特開平　６−２３１０７５〕について、次のとおり審決する。
【結　論】
　本件審判の請求は、成り立たない。
【理　由】
１．手続の経緯 
　本願は、平成５年１２月１６日（パリ条約による優先権主張１９９２年１２月２８日、米国）の出願であって、平成１５年６月２５日付で拒絶査定がなされ、これに対し、同年１０月６日に拒絶査定に対する審判請求がなされるとともに、同年１１月４日付で手続補正がなされたものである。 
 　 
２．本願発明 
　本願発明の要旨は、前記手続補正により、補正された特許請求の範囲に記載されたとおりのものであって、その請求項１に記載された発明（以下、「本願発明」という。）は、以下のとおりのものと認める。 
 「コンピュータシステムを構成する複数のエイジェントの中の「短い応答時間を要求する」（以下、「低潜伏性」という）エイジェントとしてグループ化された一群のエイジェントからの共通資源への低潜伏性アクセス（短い応答時間を要求する接続要求）を制御する方法であって、 
（１）一つの前記低潜伏性エイジェントから前記共通資源への前記低潜伏性アクセスがリクエストされた時に、低潜伏性リクエストビットをセットするステップと、 
（２）前記低潜伏性アクセスがリクエストされた時に前記低潜伏性エイジェント以外のエイジェントが現に前記共通資源に接続されていた場合、タイマーをスタートさせるステップと、 
（３）前記タイマーが予定値に達した後、前記低潜伏性エイジェント以外のエイジェントによる前記共通資源の使用を終了させると共に、前記低潜伏性アクセスに係るエイジェントを前記共通資源に接続するステップと、 
（４）前記低潜伏性アクセスを要求していた全ての低潜伏性エイジェントによる前記共通資源の使用が完了するまで、前記低潜伏性エイジェント以外のエイジェントに対して前記共有資源の使用を禁止するステップと、 
　を含むことを特徴とするコンピュータシステムを構成するエイジェントの共通資源への接続制御方法。」 
 　 
３．引用例 
　原査定の拒絶の理由に引用された特開平２−２４２４６２号公報（以下、引用例１という。）及び特開平４−２７１４４８号公報（以下、引用例２という。）には、図面とともに、以下の点が記載されている。 
引用例１ 
　ａ．ある複数のユーザ手段の間で共用される、指定可能なタイム・スロット中に利用可能な、（タイム・スロット動作式データ・バスなどの）資源に対するアクセスを制御するための装置では、上記ユーザ手段のいずれかからアクセス要求を受け取り、要求側ユーザ手段に上記タイム・スロットのうち所定のタイム・スロットの間、アクセスを許可する、（バス・アービタなどの）アクセス制御手段が、上記装置ならびに上記各ユーザ手段に接続される。アクセス制御手段中の優先順位決定手段が、上記の所与の複数のユーザ手段の数より少ない第１の複数のユーザ手段に、その資源に対する排他的または最高の優先順位のアクセスを許可する。この最高の優先順位としては、第１の複数のユーザ手段のそれぞれに、所定のタイム・スロットの間その資源に対する最初のアクセスを許可することがある。他のすべてのユーザ手段は、第１の複数のユーザ手段のうちにその資源に対するアクセスを要求するものがなくなって始めて、その資源に対するアクセスを獲得することができる。」（公報、第３頁左下欄第５行乃至右下欄第５行、Ｄ．課題を解決するための手段の項の記載、以下、引用例１発明という。） 
引用例２ 
　ｂ．「図６は、本発明の装置の第１実施例の動作の他の例を示すタイムチャートである。
　次に、この図に基づいて、複数のモジュールがバス使用要求信号を出力している場合の動作を説明する。 
　例えば、入出力装置４１からバス使用要求信号６１が出力されると、調停手段１０がバス使用許可信号７１を出力する。これにより、入出力装置４１によるデータ転送が開始される。入出力装置４１のデータ転送中に、例えば、入出力装置４２からバス使用要求信号６２が出力されると、タイマ手段９に起動がかかる。そして、一定時間ｔ経過しても、入出力装置４１によるバス５の使用が終了しない場合、タイムアウト信号１１がアクティブとなり、バス開放要求信号８１が出力される。ここに、一定時間ｔは、システムで決定される時間であり、入出力装置等のモジュールにオーバランやアンダーランが生じない程度の時間である。」（公報、第４頁段落【００１８】の記載。） 
 　 
４．対比・判断 
　本願発明と引用例１発明とを対比すると、引用例１発明の「複数のユーザ手段」は、本願発明の「複数のエイジェント」に相当する。 
　引用例１発明の「第１の複数のユーザ手段」は、「その資源に対する排他的または最高の優先順位」を与える旨の記載からみて、本願発明の「低潜伏性エイジェント」に対応し、同じく「他のすべてのユーザ手段」は、「低潜伏性エイジェント以外のエイジェント」に対応する。 
　引用例１発明の「他のすべてのユーザ手段は、第１の複数のユーザ手段のうちにその資源に対するアクセスを要求するものがなくなって始めて、その資源に対するアクセスを獲得することができる」点は、本願発明における「低潜伏性アクセスを要求していた全ての低潜伏性エイジェントによる前記共通資源の使用が完了するまで、前記低潜伏性エイジェント以外のエイジェントに対して前記共有資源の使用を禁止すし、前記低潜伏性アクセスに係るエイジェントを前記共通資源に接続する」点に対応する。 
　したがって、両者は、「コンピュータシステムを構成する複数のエイジェントの中の「短い応答時間を要求する」（以下、「低潜伏性」という）エイジェントとしてグループ化された一群のエイジェントからの共通資源への低潜伏性アクセス（短い応答時間を要求する接続要求）を制御する方法であって、前記低潜伏性アクセスを要求していた全ての低潜伏性エイジェントによる前記共通資源の使用が完了するまで、前記低潜伏性エイジェント以外のエイジェントに対して前記共有資源の使用を禁止するステップと、前記低潜伏性アクセスに係るエイジェントを前記共通資源に接続するステップとを含むコンピュータシステムを構成するエイジェントの共通資源への接続制御方法。」である点で一致し、以下の点で相違する。 
　相違点１：本願発明においては、「（１）一つの前記低潜伏性エイジェントから前記共通資源への前記低潜伏性アクセスがリクエストされた時に、低潜伏性リクエストビットをセットするステップ」を含んでいるのに対し、引用例１発明では、特段の記載がない点。
 
　相違点２：本願発明においては、「（２）低潜伏性アクセスがリクエストされた時に低潜伏性エイジェント以外のエイジェントが現に前記共通資源に接続されていた場合、タイマーをスタートさせるステップと、（３）前記タイマーが予定値に達した後、前記低潜伏性エイジェント以外のエイジェントによる前記共通資源の使用を終了させると共に、前記低潜伏性アクセスに係るエイジェントを前記共通資源に接続するステップ」を含んでいるのに対し、引用例発明においては、そうではない点。 
　上記相違点について検討する。 
　相違点１：一般にコンピュータシステムが二つの状態を区別するビットをセットすることは、慣用手段であり、引用例１発明の低潜伏性アクセスがある状態とない状態とを区別するために、この慣用手段を採用して、本願発明のように構成することに格別の創意を要するものではない。（例えば、特開昭６３−２６７５６号公報及び特開昭６４−５０１５３号公報等を参照。）　
　相違点２：引用例２に記載された技術は、要するに「入出力装置４１のデータ転送中に、例えば、入出力装置４２からバス使用要求信号６２が出力されると、タイマ手段９に起動がかかる。そして、一定時間ｔ経過しても、入出力装置４１によるバス５の使用が終了しない場合、タイムアウト信号１１がアクティブとなり、バス開放要求信号８１が出力される」というものであり、「エイジェント（引用例２発明の「入出力装置４２」に対応する。以下、括弧内の記載は、引用例２発明のものを指す。）のアクセスがリクエストされたときに、前記エイジェント以外のエイジェント（「入出力装置４１」）が現に前記共通資源に接続されていた場合、タイマー（「タイマ手段９」）をスタートさせるステップと、前記タイマーが予定値に達した後、前記エイジェント以外のエイジェントによる前記共通資源の使用を終了させる（「タイムアウト信号１１がアクティブとなり、バス開放要求信号８１が出力される」）と共に、前記アクセスに係るエイジェントを前記共通資源に接続するステップ」は、引用例２に記載された事項である。 
　したがって、引用例１発明の「前記低潜伏性アクセスに係るエイジェントを前記共通資源に接続するステップ」として引用例２に記載された技術を採用して、本願発明のように構成することに格別の創意を要するものではない。 
　また、本願発明のように構成することによる作用効果も引用例１乃至２及び各周知技術の記載からみて格別のものではない。 
　したがって、本願発明は、引用例１乃至２に記載された事項及び周知技術から、当業者が容易に発明をすることができたものである。 
 　 
５．むすび 
　以上のとおり、本願発明は、引用例１乃至２に記載された発明及び周知技術から当業者が容易に発明をすることができたものであるから、特許法第２９条第２項の規定により特許を受けることができない。 
 　よって、結論のとおり審決する。